(57)【要約】【課題】装置が出す排熱が多い工場等においても、作業者に快適な温度に制御することが可能な空調システムを提供する。【解決手段】エア供給ライン６と、エア供給ライン６に備えたエア供給量調整用バルブ７と、水供給ライン８と、水供給ライン８に備えた水供給量調整用バルブ９と、エア供給ライン６及び水供給ライン８に連結されたミスト噴霧ノズル５を具備したミスト噴霧手段と、ミスト噴霧手段にエアを供給するためのエア供給手段１０と、ミスト噴霧手段に水を供給するための給水手段１５と、工場内の空調を行うための空調機４と、工場内の温度を検知するための温度センサー２０と、ミスト噴霧手段及び空調機４の作動を制御する制御手段２１と、を具備して、温度センサー２０の検知温度に応じて、空調機４の作動、及びミスト噴霧手段から噴霧するミスト量を制御する。【選択図】図１
2019109028.tif 000002
【特許請求の範囲】
【請求項１】
工場内の温度を所望する温度に制御するための空調システムであって、
工場内にミストを噴霧するためのミスト噴霧手段と、
該ミスト噴霧手段にエアを供給するためのエア供給手段（１０）と、
前記ミスト噴霧手段に水を供給するための給水手段（１５）と、
工場内の空調を行うための空調機（４）と、
工場内の温度を検知するための温度センサー（２０）と、
前記ミスト噴霧手段及び空調機（４）の作動を制御する制御手段（２１）と、を具備して、
前記温度センサー（２０）の検知温度に応じて、前記空調機（４）の作動、及び前記ミスト噴霧手段から噴霧するミスト量を制御する、ことを特徴とする空調システム。
【請求項２】
工場内を複数のエリア（３ａ、３ｂ、３ｃ）に分割し、各エリアごとに、ミスト噴霧手段及び温度センサー（２０）を設置し、各エリアごとに、各エリアに設置した温度センサー（２０）の検知温度に応じて、前記ミスト噴霧手段の作動を制御することを特徴とする請求項１に記載の空調システム。
【請求項３】
前記ミスト噴霧手段は、
工場内にエアを供給するためのエア供給ライン（６）と、
該エア供給ライン（６）に備えたエア供給量調整用バルブ（７）と
工場内にミスト用の水を供給するための水供給ライン（８）と、
該水供給ライン（８）に備えた水供給量調整用バルブ（９）と、
前記エア供給ライン（６）及び水供給ライン（８）に連結され、工場内にミストを噴霧するための１又は複数個のミスト噴霧ノズル（５）と、を具備し、
前記制御手段（２１）によって、前記エア供給量調整用バルブ（７）及び水供給量調整用バルブ（９）の作動を制御することを特徴とする請求項１又は請求項２に記載の空調システム。
【発明の詳細な説明】
【技術分野】
【０００１】
本発明は建物内の冷却を行うための空調システムであって、より詳しくは、建物内にミストを噴霧することによる冷却と空調機による冷却を組み合わせたことを特徴とする空調システムに関する。
【背景技術】
【０００２】
一般的に工場内では、エアコン等の空調機を用いて工場内の温度を調節し、工場内の温度を作業者に快適な温度に制御している。
【０００３】
しかしながら、特に業務用のクリーニング工場や金属加工工場等では、装置が出す排熱が多すぎるために、夏場は、エアコンのみでは工場内の温度を快適な温度まで冷却することが困難である。
【０００４】
また、従来、ミストを工場内に噴霧することで、気化熱によって工場内を冷却する方法も提案されているが、従来から提供されている方法では、工場内の温度に無関係にミストを噴霧し続け、あるいは噴霧を停止するため、作業者に快適な温度にすることが困難であった。
【先行技術文献】
【特許文献】
【０００５】
【特許文献１】特開２０１６−１３３２３１号公報
【特許文献２】特開２０１０−０７８２６４号公報
【発明の概要】
【発明が解決しようとする課題】
【０００６】
そこで、本発明は、業務用のクリーニング工場や金属加工工場等の装置が出す排熱が多い工場等においても、工場内の温度を作業者に快適な温度に制御することが可能な空調システムを提供することを課題としている。
【課題を解決するための手段】
【０００７】
本発明の空調システムは、
工場内の温度を所望する温度に制御するための空調システムであって、
工場内にミストを噴霧するためのミスト噴霧手段と、
該ミスト噴霧手段にエアを供給するためのエア供給手段と、
前記ミスト噴霧手段に水を供給するための給水手段と、
工場内の空調を行うための空調機と、
工場内の温度を検知するための温度センサーと、
前記ミスト噴霧手段及び空調機の作動を制御する制御手段と、を具備して、
前記温度センサーの検知温度に応じて、前記空調機の作動、及び前記ミスト噴霧手段から噴霧するミスト量を制御する、ことを特徴としている。
【発明の効果】
【０００８】
本発明の空調システムでは、ミスト噴霧手段と空調機を工場内に設置しているおり、空調機による冷却とともに、ミストの噴霧による冷却を行うこととしている。そのために、業務用のクリーニング工場や金属加工工場等の装置が出す排熱が多い工場等においても、工場内を作業者に快適な温度に制御することが可能である。
【０００９】
また、本発明の空調システムでは、工場内の温度に応じてミスト噴霧手段と空調機の作動を制御することとしているため、工場内の温度の制御が容易であり、工場内の温度を容易に作業者に快適な温度にして維持することが可能である。
【図面の簡単な説明】
【００１０】
【図１】本発明の空調システムの実施例の構成を説明するためのブロック図である。
【図２】本発明の空調システムの実施例の制御系を説明するためのブロック図である。
【発明を実施するための形態】
【００１１】
本発明の空調システムでは、工場内にミストを噴霧するためのミスト噴霧手段を有しており、このミスト噴霧手段には、ミスト噴霧手段に圧縮エアを供給するためのエア供給手段と、ミスト噴霧手段に水を供給するための給水手段が連結されている。
【００１２】
また、本発明の空調システムでは、工場内の空調を行うための空調機と、工場内の温度を検知するための温度センサーを有している。
【００１３】
更に、本発明の空調システムでは、ミスト噴霧手段及び空調機の作動を制御する制御手段を具備しており、この制御手段は、温度センサーの検知温度に応じて、空調機の作動、及びミスト噴霧手段から噴霧するミスト量を制御することとしている。
【００１４】
ここで、空調対象となる工場内を複数のエリアに分割し、各エリアごとに、ミスト噴霧手段及び温度センサーを設置し、各エリアごとに、各エリアに設置した温度センサーの検知温度に応じてミスト噴霧手段の作動を制御するとよく、これにより、工場内において、稼働しているラインにのみミストを噴霧することができ、無駄を無くすることが可能である。
【００１５】
また、ミスト噴霧手段を、工場内にエアを供給するためのエア供給ラインと、このエア供給ラインに備えたエア供給量調整用バルブと、工場内にミスト用の水を供給するための水供給ラインと、この水供給ラインに備えた水供給量調整用バルブと、エア供給ライン及び水供給ラインに連結され、工場内にミストを噴霧するための１又は複数個のミストノズルとで構成し、制御手段によって、エア供給量調整用バルブ及び水供給量調整用バルブの作動を制御すると良く、これにより、ミストの噴霧量を確実に調整することが可能となる。
【実施例１】
【００１６】
本発明の空調システムの実施例について図面を参照して説明すると、図１は本実施例の空調システムの構成を示すブロック図であり、図において１が本実施例の空調システムである。
【００１７】
また、図において２は空調対象となる工場であり、本実施例において前記工場２内には、エアコン等の空調機４が設置されており、この空調機４から工場２内に冷風が供給され、これにより工場２内の冷却を行うこととしている。なお、空調機４の数量は特に限定されず、複数個を設置してもよい。
【００１８】
次に、図において３ａ、３ｂ、３ｃは、工場２内を分割して構成したエリアである。即ち、本実施例の空調システムでは、工場２内を３個のエリア３ａ、３ｂ、３ｃに分割して、各エリアごとに空調を行うことを可能にしている。なお、図１においては、工場２内に１個の空調機４を設置する構成としているが、各エリア３ａ、３ｂ、３ｃにそれぞれ空調機を設置してもよい。また、本発明において工場２内分割するエリアの数は特に限定されず、４エリア以上にしてもよく、あるいは１エリアのみとしてもよい。
【００１９】
ここで、前記エリアの構成について説明するが、各エリア３ａ、３ｂ、３ｃ内の構成はすべて同じであるので、以下においては第１エリア３ａの構成について説明する。即ち、第２エリア３ｂ、第３エリア３ｃはいずれも、以下に説明する第１エリア３ａと同様の構成となっている。
【００２０】
まず、図において、５はミスト噴霧ノズルである。即ち、本実施例において前記第１エリア３ａ内には、各現場作業者の上方に１又は複数個のミスト噴霧ノズル５が設置されており、このミスト噴霧ノズル５によって、第１エリア３ａ内において作業者にミストを噴霧可能としている。そしてこれにより、各作業者はミストによって清涼感を得ることができる。
【００２１】
また、噴霧されたミストが気化することでエリア内の熱が気化熱として奪われるので、前記空調機４による冷却に加えて、気化熱によってエリア内の温度を下げることができ、業務用のクリーニング工場や金属加工工場等の装置が出す排熱が多い工場等においても、工場内を作業者に快適な温度まで冷却することが可能である。
【００２２】
次に、図において６は、前記ミスト噴霧ノズル５に圧縮エアを供給するためのエア供給ラインである。そして、このエア供給ライン６は、エア供給手段１０に連結されており、ライン６の途上には、エアの供給量を調整するためのエア供給量調整用バルブとしてのソレノイドバルブ７が配置されている。
【００２３】
また、図において８は、前記ミスト噴霧ノズル５にミスト用の水を供給するための水供給ラインであり、この水供給ライン８は、給水手段１５に連結され、ライン８の途上には、給水量を調整するための水供給量調整用バルブとしてのソレノイドバルブ９が配置されている。そして、本実施例の空調システム１では、前記ミスト噴霧ノズル５、エア供給ライン６、水供給ライン８と、ソレノイドバルブ７、９によって、ミスト噴霧手段が構成されている。
【００２４】
ここで、前記エア供給手段について説明すると、図において１０がエア供給手段である。そして、本実施例において前記エア供給手段１０は、エアコンプレッサー１１を具備しており、前記エア供給ライン６は、エアコンプレッサー１１に連結されており、これにより、前記ミスト噴霧ノズル５に圧縮エアを供給可能としている。なお、図において１２はエアタンク、１３はフィルター、１４はレギュレーターである。
【００２５】
次に、前記給水手段について説明すると、図において１５が給水手段であり、本実施例において前記給水手段１５は、水道蛇口等の水源に連結された給水タンク１６を有しており、給水ポンプ１７を介して、給水タンク１６には前記水供給ライン８が連結され、これにより、前記ミスト噴霧ノズル５に、ミスト用の水を供給可能としている。従って、本実施例では、前記ミスト噴霧ノズル５に水と圧縮エアを供給することで、供給された水を圧縮エアで霧状にし、エリア内にミストを噴霧可能としている。なお、図において１８はフィルターである。
【００２６】
次に、図において２０は温度センサーである。即ち、本実施例の空調システムでは、各エリア内に温度センサー２０を設置しているとともに、システム全体を制御するための制御手段２１を有しており、制御手段２１は、温度センサー２０により検知した温度に応じて、前記空調機４の作動を制御し、及び前記ソレノイドバルブ７、９を制御し、エリア内の温度を所望する温度に制御することとしている。
【００２７】
ここで、本実施例における制御系について図２のブロック図を参照して説明すると、図２において２１は制御手段としてのコントロール盤であり、このコントロール盤２１は、マイコン２２を備えており、このマイコン２２には、各種設定等を行うためのスイッチ２３や、電源２４等が接続されている。
【００２８】
また、前記マイコン２２には、前記温度センサー２０とともに、前記空調機４、ソレノイドバルブ７、９、給水ポンプ１７、エアコンプレッサー１１が接続されている。そしてこれにより、マイコン２２は、温度センサー２０により検知した温度に応じて、前記空調機４の作動を制御し、及び前記ソレノイドバルブ７、９を制御して噴霧するミスト量を調整して、エリア内の温度を予め設定した温度に制御することとしている。即ち、本実施例の空調システムでは、エリア内の温度に応じて、空調機４の強弱を調整し、又は空調機の作動を停止し、更に、ミストの噴霧量を調整することが可能である。
【００２９】
従って、本実施例の空調システムでは、空調機４による冷却とともにミストの噴霧による冷却を行うことにより、業務用のクリーニング工場や金属加工工場等の装置が出す排熱が多い工場等においても、ミストの噴霧の併用による効果によって作業者に快適な温度を得ることが可能であるとともに、ミストの噴霧による冷却のみで良い場合には空調機の作動を停止することもできるので、使用する空調エネルギーを少なくしてコストを抑えることも可能である。なお、前述したように、本実施例の空調システムでは、工場２内を３つのエリア３ａ、３ｂ、３ｃに分割しているが、各エリアの構成は前述の第１エリア３ａの構成と同様であり、また、各エリアはエア供給手段１０及び給水手段１５を兼用しており、各エリアの温度センサー２０及びソレノイドバルブ７、９は一つのマイコン２２に接続されている。
【００３０】
次に、このように構成される本実施例の空調システム１の作用について説明すると、本実施例の空調システム１で工場２内の空調を行う場合には、まず、初期設定において、空調を行うエリアと、目標温度を設定する。即ち、本実施例の空調システム１では、工場２内を３つのエリア３ａ、３ｂ、３ｃに分割し、各エリアにミスト噴霧手段と温度センサーを備えているため、製造等のラインが稼働しているエリアのみにミストを噴霧することが可能である。従って、初期設定において、空調を行うエリアを設定することで、ラインが稼働していない箇所にミストが噴霧されることを防止して、省エネを達成することが可能である。
【００３１】
そして次に、空調機４を作動させて工場内に冷風を供給するとともに、エア供給手段１０及び給水手段１５を稼働させ、更に、空調を行うエリア内において、エア供給量調整用のソレノイドバルブ７と、水供給量調整用のソレノイドバルブ９を開放して、空調を行うエリア内にミストを噴霧する。そうすると、空調機４による冷却とともに、噴霧したミストが気化することによる気化熱の作用でエリア内の温度を下げることができるので、業務用のクリーニング工場や金属加工工場等の装置が出す排熱が多い工場等においても、作業者に快適な温度にすることができ、更に各作業者はミストによって清涼感を得ることができる。
【００３２】
また、それとともに、エリア内に設置した温度センサー２０によって、空調を行っているエリア内の温度を監視し、検知した温度に応じて、空調機４の作動を制御する。即ち、例えばエリア内の温度が目標温度を下回った場合には、空調機の風量を弱め、あるいはミストの噴霧のみで良いと判断した場合には空調機を停止する。更に、ソレノイドバルブ７、９を制御してミストの噴霧量を制御することで、エリア内の温度を目標温度にすることも可能である。
【００３３】
このように、本実施例の空調システムでは、ミストの噴霧による冷却と空調機の作動による冷却を併用しているために、業務用のクリーニング工場や金属加工工場等の装置が出す排熱が多い工場等においても、作業者に快適な温度を得ることが可能であるとともに、ミストの噴霧の併用による効果によって、空調機の作動を停止することもできるので、使用する空調エネルギーを少なくしてコストを抑えることも可能である。
【００３４】
そしてこのとき、本実施例の空調システムでは、工場２内を複数のエリアに分割し、各エリアにミスト噴霧手段と温度センサーを備え、製造等のラインが稼働しているエリアのみにミストを噴霧することを可能としているため、ラインが稼働していない箇所にミストが噴霧されることを防止して、これによっても省エネを達成することが可能である。
【００３５】
なお、前述の説明では、工場内を複数のエリアに分割した場合を説明したが、本発明の空調システムでは、必ずしも工場内を複数のエリアに分割する必要は無い。また、各エリアに設置するミスト噴霧ノズルは、必ずしも複数にする必要も無く、ミスト噴霧ノズルを一つのみとしても良い。
【産業上の利用可能性】
【００３６】
本発明の空調システムは、工場等において、作業者に快適な温度を得ることを可能としているため、工場内の冷却を行うための空調システムの全般に適用可能である。
【符号の説明】
【００３７】
１    空調システム
２    工場
３ａ、３ｂ、３ｃ    工場内のエリア
４    空調機
５    ミスト噴霧ノズル
６    エア供給ライン
７    ソレノイドバルブ
８    水供給ライン
９    ソレノイドバルブ
１０    エア供給手段
１１    エアコンプレッサー
１２    エアタンク
１３    フィルター
１４    レギュレーター
１５    給水手段
１６    給水タンク
１７    給水ポンプ
１８    フィルター
２０    温度センサー
２１    制御手段
２２    マイコン
２３    スイッチ
２４    電源
【図１】
2019109028.tif 000003
【図２】
2019109028.tif 000004